(57)【特許請求の範囲】
【請求項１】
環状に形成されたマグネットと、
センターポール部を有し前記センターポール部が前記マグネットの中心部に挿入されて配置されたヨークと、
環状に形成され前記マグネットに取り付けられた状態で前記ヨークのセンターポール部の外周側に配置されたプレートと、
筒状に形成され一部が前記ヨークのセンターポール部に外嵌された状態で前記センターポール部の軸方向へ変動可能にされたコイルボビンと、
前記コイルボビンの外周面に巻き付けられ少なくとも一部が前記プレートと前記ヨークのセンターポール部との間に形成された磁気ギャップに配置されたボイスコイルと、
内周部が前記コイルボビンに連結され前記コイルボビンの変動に伴って振動される振動板と、
前記磁気ギャップに充填された磁性流体とを備え、
前記センターポール部の周方向において磁束密度を変化させて前記磁性流体に対する磁力を変化させる磁気勾配を形成するようにし、
前記プレートの内周面又は前記センターポール部の外周面に、前記センターポール部の周方向において前記磁気勾配を形成する磁束変化部を設け、
前記磁束変化部を周方向に離隔して等間隔に複数設けた
スピーカー装置。
【請求項２】
前記センターポール部の軸方向において磁束密度を変化させて前記磁性流体に対する磁力を変化させる磁気勾配を形成するようにした
請求項１に記載のスピーカー装置。
【請求項３】
前記周方向における前記磁束密度の最低値を前記軸方向における前記磁束密度の最高値の２分の１の値より大きくした
請求項２に記載のスピーカー装置。
【請求項４】
前記磁性流体は飽和磁束が３０ｍＴ〜４０ｍＴにされ粘度が３００ｃｐ以下にされた
請求項１に記載のスピーカー装置。
【請求項５】
前記磁束変化部として前記軸方向に延びる凹部を形成した
請求項１に記載のスピーカー装置。
【請求項６】
環状に形成されたマグネットと、
センターポール部を有し前記センターポール部が前記マグネットの中心部に挿入されて配置されたヨークと、
環状に形成され前記マグネットに取り付けられた状態で前記ヨークのセンターポール部の外周側に配置されたプレートと、
筒状に形成され一部が前記ヨークのセンターポール部に外嵌された状態で前記センターポール部の軸方向へ変動可能にされたコイルボビンと、
前記コイルボビンの外周面に巻き付けられ少なくとも一部が前記プレートと前記ヨークのセンターポール部との間に形成された磁気ギャップに配置されたボイスコイルと、
内周部が前記コイルボビンに連結され前記コイルボビンの変動に伴って振動される振動板と、
前記磁気ギャップに充填された磁性流体とを備え、
前記センターポール部の周方向において磁束密度を変化させて前記磁性流体に対する磁力を変化させる磁気勾配を形成するようにし、
前記プレートの内周面及び前記センターポール部の外周面に、前記センターポール部の周方向において前記磁気勾配を形成する磁束変化部を設け、
前記磁束変化部を周方向に離隔して等間隔に複数設けた
スピーカー装置。
【請求項７】
前記プレートの内周面に設けた磁束変化部と前記センターポール部の外周面に設けた磁束変化部とを周方向において交互に複数位置させた
請求項６に記載のスピーカー装置。
【請求項８】
前記磁束変化部として前記軸方向に延びる凹部を形成した
請求項６に記載のスピーカー装置。
【請求項９】
前記プレート又は前記センターポール部に、前記センターポール部の軸方向において前記磁気勾配を形成する磁束変化部を設けた
請求項２に記載のスピーカー装置。
【請求項１０】
前記センターポール部の先端部を前記プレートから前記軸方向へ突出させて前記先端部を前記磁束変化部として設けた
請求項９に記載のスピーカー装置。
【請求項１１】
前記プレート又は前記センターポール部の表面に前記軸方向に対して傾斜する傾斜面を形成し前記傾斜面が形成された部分を前記磁束変化部として設けた
請求項９に記載のスピーカー装置。
【請求項１２】
前記プレート又は前記センターポール部の表面に曲面を形成し前記曲面が形成された部分を前記磁束変化部として設けた
請求項９に記載のスピーカー装置。
【請求項１３】
前記プレート及び前記センターポール部に、前記センターポール部の軸方向において前記磁気勾配を形成する磁束変化部を設けた
請求項２に記載のスピーカー装置。
【請求項１４】
前記プレート及び前記センターポール部の表面にそれぞれ前記軸方向に対して傾斜する傾斜面を形成し前記傾斜面が形成された部分をそれぞれ前記磁束変化部として設けた
請求項１３に記載のスピーカー装置。
【請求項１５】
前記プレート及び前記センターポール部の表面にそれぞれ曲面を形成し前記曲面が形成された部分をそれぞれ前記磁束変化部として設けた
請求項１３に記載のスピーカー装置。
【請求項１６】
前記ボイスコイルに接続される複数のリード線が設けられ、
前記複数のリード線を前記コイルボビンの中心軸を基準として対称に配置した
請求項１に記載のスピーカー装置。
【請求項１７】
前記ボイスコイルに接続される複数のリード線と、
前記コイルボビンに接続される少なくとも１本の接続線とが設けられ、
複数のリード線と前記接続線を前記コイルボビンの中心軸を基準として対称に配置した
請求項１に記載のスピーカー装置。
【発明の詳細な説明】
【技術分野】
【０００１】
本技術はスピーカー装置についての技術分野に関する。詳しくは、磁気ギャップに充填された磁性流体の飛散を抑制して音響変換効率の向上及び音質の向上を図る技術分野に関する。
【背景技術】
【０００２】
スピーカー装置には、例えば、環状のマグネットとセンターポール部を有するヨークと磁性材料によって形成されたプレートとを有し、コイルボビンに巻き付けられたボイスコイルがセンターポール部とプレートの間に形成された磁気ギャップに保持されたものがある。このようなスピーカー装置においては、ボイスコイルに通電が行われると、コイルボビンがセンターポール部の軸方向へ変動（移動）されて音声の出力が行われる。
【０００３】
また、上記のようなスピーカー装置には、環状に形成され弾性を有するダンパーが設けられ、ダンパーの内周部がコイルボビンの外周面に連結されダンパーの外周部が筐体として機能するフレームに連結されたものがある。ダンパーはコイルボビンが変動されたときにボイスコイルをプレートに接触することなく磁気ギャップに保持する機能を有している。
【０００４】
ところが、ダンパーはスピーカー装置の全体に対して一定の重量比を占めるため、ダンパーが存在する分、スピーカー装置の重量が大きくなり、コイルボビンの変動を抑制し音響変換効率を低下させる一因になっている。ダンパーの重量比はスピーカー装置の全体に対して、例えば、１５％〜２０％程度にされている。
【０００５】
そこで、スピーカー装置には、ダンパーに代えて所定の部分に磁性流体を充填し、ダンパーを省略することによりスピーカー装置の重量を低減させて音響変換効率を向上させるようにしたものがある（例えば、特許文献１及び特許文献２参照）。
【０００６】
特許文献１に記載されたスピーカー装置にあっては、センターポール部とプレートの間に形成された磁気ギャップに磁性流体が充填され、同じ磁気ギャップにおいてコイルボビンに巻き付けられたボイスコイルが保持されている。
【０００７】
特許文献２に記載されたスピーカー装置にあっては、コイルボビンの先端側に配置されたセンターキャップにシャフトが取り付けられ、シャフトの先端部がセンターポール部に形成された貫通孔に軸受を介して挿入され、シャフトと軸受の間に磁性流体が充填されている。磁性流体はセンターポール部における磁束密度が最大になる位置に充填されている。
【０００８】
【特許文献１】特開平０８−７９８８６号公報
【特許文献２】特開２００３−３２７９１号公報
【発明の開示】
【発明が解決しようとする課題】
【０００９】
ところが、特許文献１に記載されたスピーカー装置にあっては、ボイスコイルが磁気ギャップにおいて保持され磁気ギャップに磁性流体が充填されており、コイルボビンの変動時に磁性流体が磁気ギャップから飛散されてしまい、磁気ギャップにおける磁性流体の充填量が低減して安定した音声の出力を阻害すると言う問題がある。
【００１０】
また、特許文献１に記載されたスピーカー装置にあっては、コイルボビンの変動時に磁性流体が撹拌されることにより異音が生じ、出力される音声に歪みが生じて音質の低下を来たすおそれがある。
【００１１】
一方、特許文献２に記載されたスピーカー装置にあっては、磁性流体がセンターポール部における磁束密度が最大になる位置に充填されているため、コイルボビンの変動時に磁性流体が磁気ギャップから飛散され難い。
【００１２】
しかしながら、シャフトが設けられている分、スピーカー装置の重量が大きくなりコイルボビンの変動が抑制されて音響変換効率が低下すると言う問題がある。
【００１３】
また、コイルボビンの変動時にシャフトの移動によって磁性流体が撹拌されることにより異音が生じ、出力される音声に歪みが生じて音質の低下を来たすおそれがある。
【００１４】
そこで、本技術スピーカー装置は、上記した問題点を克服し、音響変換効率の向上及び音質の向上を図ることを課題とする。
【課題を解決するための手段】
【００１５】
第１に、スピーカー装置は、上記した課題を解決するために、環状に形成されたマグネットと、センターポール部を有し前記センターポール部が前記マグネットの中心部に挿入されて配置されたヨークと、環状に形成され前記マグネットに取り付けられた状態で前記ヨークのセンターポール部の外周側に配置されたプレートと、筒状に形成され一部が前記ヨークのセンターポール部に外嵌された状態で前記センターポール部の軸方向へ変動可能にされたコイルボビンと、前記コイルボビンの外周面に巻き付けられ少なくとも一部が前記プレートと前記ヨークのセンターポール部との間に形成された磁気ギャップに配置されたボイスコイルと、内周部が前記コイルボビンに連結され前記コイルボビンの変動に伴って振動される振動板と、前記磁気ギャップに充填された磁性流体とを備え、前記センターポール部の周方向において磁束密度を変化させて前記磁性流体に対する磁力を変化させる磁気勾配を形成するようにし、前記プレートの内周面又は前記センターポール部の外周面に、前記センターポール部の周方向において前記磁気勾配を形成する磁束変化部を設け、前記磁束変化部を周方向に離隔して等間隔に複数設けたものである。あるいは、環状に形成されたマグネットと、センターポール部を有し前記センターポール部が前記マグネットの中心部に挿入されて配置されたヨークと、環状に形成され前記マグネットに取り付けられた状態で前記ヨークのセンターポール部の外周側に配置されたプレートと、筒状に形成され一部が前記ヨークのセンターポール部に外嵌された状態で前記センターポール部の軸方向へ変動可能にされたコイルボビンと、前記コイルボビンの外周面に巻き付けられ少なくとも一部が前記プレートと前記ヨークのセンターポール部との間に形成された磁気ギャップに配置されたボイスコイルと、内周部が前記コイルボビンに連結され前記コイルボビンの変動に伴って振動される振動板と、前記磁気ギャップに充填された磁性流体とを備え、前記センターポール部の周方向において磁束密度を変化させて前記磁性流体に対する磁力を変化させる磁気勾配を形成するようにし、前記プレートの内周面及び前記センターポール部の外周面に、前記センターポール部の周方向において前記磁気勾配を形成する磁束変化部を設け、前記磁束変化部を周方向に離隔して等間隔に複数設け前記プレートの内周面及び前記センターポール部の外周面に、前記センターポール部の周方向において前記磁気勾配を形成する磁束変化部を設けたものである。
【００１６】
従って、スピーカー装置にあっては、磁気ギャップから飛散しようとする磁性流体が、磁気勾配が形成された部分の磁力に引き寄せられる。また、プレートの内周面又はセンターポール部の外周面に、センターポール部の周方向において磁気勾配を形成する磁束変化部を設けることにより、磁気ギャップにおける磁気勾配の形成が容易になる。また、磁束変化部を周方向に離隔して等間隔に複数設けることにより、磁束変化部が対称性を有する。
【００１７】
第２に、上記したスピーカー装置においては、前記センターポール部の軸方向において磁束密度を変化させて前記磁性流体に対する磁力を変化させる磁気勾配を形成するようにすることが望ましい。
【００１８】
センターポール部の軸方向において磁束密度を変化させて磁性流体に対する磁力を変化させる磁気勾配を形成するようにすることにより、磁気ギャップから飛散しようとする磁性流体が、磁気勾配が形成された部分の磁力に引き寄せられる。
【００１９】
第３に、上記したスピーカー装置においては、周方向における前記磁束密度の最低値を前記軸方向における前記磁束密度の最高値の２分の１の値より大きくすることが望ましい。
【００２０】
周方向における磁束密度の最低値を軸方向における磁束密度の最高値の２分の１の値より大きくすることにより、磁気ギャップから飛散しようとする磁性流体が、周方向において磁気勾配が形成された部分の磁力に引き寄せられ易い。
【００２１】
第４に、上記したスピーカー装置においては、前記磁性流体は飽和磁束が３０ｍＴ〜４０ｍＴにされ粘度が３００ｃｐ以下にされることが望ましい。
【００２２】
磁性流体は飽和磁束が３０ｍＴ〜４０ｍＴにされ粘度が３００ｃｐ以下にされることにより、磁性流体の飛散が防止されると共にコイルボビンの変動が磁性流体によって抑制され難い。
【００２７】
第７に、上記したスピーカー装置においては、前記磁束変化部として前記軸方向に延びる凹部を形成することが望ましい。
【００２８】
磁束変化部として軸方向に延びる凹部を形成することにより、磁束変化部の形成が容易になる。
【００３３】
第１０に、上記したスピーカー装置においては、前記プレートの内周面に設けた磁束変化部と前記センターポール部の外周面に設けた磁束変化部とを周方向において交互に複数位置させることが望ましい。
【００３４】
プレートの内周面に設けた磁束変化部とセンターポール部の外周面に設けた磁束変化部とを周方向において交互に複数位置させることにより、磁束変化部が対称性を有する。
【００３５】
第１１に、上記したスピーカー装置においては、前記磁束変化部として前記軸方向に延びる凹部を形成することが望ましい。
【００３６】
磁束変化部として軸方向に延びる凹部を形成することにより、磁束変化部の形成が容易になる。
【００３７】
第１２に、上記したスピーカー装置においては、前記プレート又は前記センターポール部に、前記センターポール部の軸方向において前記磁気勾配を形成する磁束変化部を設けることが望ましい。
【００３８】
プレート又はセンターポール部に、センターポール部の軸方向において磁気勾配を形成する磁束変化部を設けることにより、センターポール部の軸方向における磁気勾配の形成が容易になる。
【００３９】
第１３に、上記したスピーカー装置においては、前記センターポール部の先端部を前記プレートから前記軸方向へ突出させて前記先端部を前記磁束変化部として設けることが望ましい。
【００４０】
センターポール部の先端部をプレートから軸方向へ突出させて先端部を磁束変化部として設けることにより、磁束変化部の構成が簡素になる。
【００４１】
第１４に、上記したスピーカー装置においては、前記プレート又は前記センターポール部の表面に前記軸方向に対して傾斜する傾斜面を形成し前記傾斜面が形成された部分を前記磁束変化部として設けることが望ましい。
【００４２】
プレート又はセンターポール部の表面に軸方向に対して傾斜する傾斜面を形成し傾斜面が形成された部分を磁束変化部として設けることにより、磁束変化部の加工が簡単になる。
【００４３】
第１５に、上記したスピーカー装置においては、前記プレート又は前記センターポール部の表面に曲面を形成し前記曲面が形成された部分を前記磁束変化部として設けることが望ましい。
【００４４】
プレート又はセンターポール部の表面に曲面を形成し曲面が形成された部分を磁束変化部として設けることにより、磁束密度の変化に関して自由度が高くなる。
【００４５】
第１６に、上記したスピーカー装置においては、前記プレート及び前記センターポール部に、前記センターポール部の軸方向において前記磁気勾配を形成する磁束変化部を設けることが望ましい。
【００４６】
プレート及びセンターポール部に、センターポール部の軸方向において磁気勾配を形成する磁束変化部を設けることにより、センターポール部の軸方向における磁気勾配の形成が容易になると共に磁束密度の変化に関して自由度が高くなる。
【００４７】
第１７に、上記したスピーカー装置においては、前記プレート及び前記センターポール部の表面にそれぞれ前記軸方向に対して傾斜する傾斜面を形成し前記傾斜面が形成された部分をそれぞれ前記磁束変化部として設けることが望ましい。
【００４８】
プレート及びセンターポール部の表面にそれぞれ軸方向に対して傾斜する傾斜面を形成し傾斜面が形成された部分をそれぞれ磁束変化部として設けることにより、磁束変化部の加工が簡単になると共に磁束密度の変化に関して自由度が高くなる。
【００４９】
第１８に、上記したスピーカー装置においては、前記プレート及び前記センターポール部の表面にそれぞれ曲面を形成し前記曲面が形成された部分をそれぞれ前記磁束変化部として設けることが望ましい。
【００５０】
プレート又はセンターポール部の表面にそれぞれ曲面を形成し曲面が形成された部分をそれぞれ磁束変化部として設けることにより、磁束密度の変化に関して自由度が高くなる。
【００５１】
第１９に、上記したスピーカー装置においては、前記ボイスコイルに接続される複数のリード線が設けられ、前記複数のリード線を前記コイルボビンの中心軸を基準として対称に配置することが望ましい。
【００５２】
ボイスコイルに接続される複数のリード線が設けられ、複数のリード線をコイルボビンの中心軸を基準として対称に配置することにより、コイルボビンローリング現象の発生が抑制される。
【００５３】
第２０に、上記したスピーカー装置においては、前記ボイスコイルに接続される複数のリード線と、前記コイルボビンに接続される少なくとも１本の接続線とが設けられ、複数のリード線と前記接続線を前記コイルボビンの中心軸を基準として対称に配置することが望ましい。
【００５４】
ボイスコイルに接続される複数のリード線と、コイルボビンに接続される少なくとも１本の接続線とが設けられ、複数のリード線と接続線をコイルボビンの中心軸を基準として対称に配置することにより、コイルボビンのローリング現象の発生が防止される。
【発明の効果】
【００５５】
本技術スピーカー装置は、環状に形成されたマグネットと、センターポール部を有し前記センターポール部が前記マグネットの中心部に挿入されて配置されたヨークと、環状に形成され前記マグネットに取り付けられた状態で前記ヨークのセンターポール部の外周側に配置されたプレートと、筒状に形成され一部が前記ヨークのセンターポール部に外嵌された状態で前記センターポール部の軸方向へ変動可能にされたコイルボビンと、前記コイルボビンの外周面に巻き付けられ少なくとも一部が前記プレートと前記ヨークのセンターポール部との間に形成された磁気ギャップに配置されたボイスコイルと、内周部が前記コイルボビンに連結され前記コイルボビンの変動に伴って振動される振動板と、前記磁気ギャップに充填された磁性流体とを備え、前記センターポール部の周方向において磁束密度を変化させて前記磁性流体に対する磁力を変化させる磁気勾配を形成するようにし、前記プレートの内周面又は前記センターポール部の外周面に、前記センターポール部の周方向において前記磁気勾配を形成する磁束変化部を設け、前記磁束変化部を周方向に離隔して等間隔に複数設けている。あるいは、環状に形成されたマグネットと、センターポール部を有し前記センターポール部が前記マグネットの中心部に挿入されて配置されたヨークと、環状に形成され前記マグネットに取り付けられた状態で前記ヨークのセンターポール部の外周側に配置されたプレートと、筒状に形成され一部が前記ヨークのセンターポール部に外嵌された状態で前記センターポール部の軸方向へ変動可能にされたコイルボビンと、前記コイルボビンの外周面に巻き付けられ少なくとも一部が前記プレートと前記ヨークのセンターポール部との間に形成された磁気ギャップに配置されたボイスコイルと、内周部が前記コイルボビンに連結され前記コイルボビンの変動に伴って振動される振動板と、前記磁気ギャップに充填された磁性流体とを備え、前記センターポール部の周方向において磁束密度を変化させて前記磁性流体に対する磁力を変化させる磁気勾配を形成するようにし、前記プレートの内周面及び前記センターポール部の外周面に、前記センターポール部の周方向において前記磁気勾配を形成する磁束変化部を設け、前記磁束変化部を周方向に離隔して等間隔に複数設け前記プレートの内周面及び前記センターポール部の外周面に、前記センターポール部の周方向において前記磁気勾配を形成する磁束変化部を設けている。
【００５６】
従って、コイルボビンの変動時に磁性流体が磁気ギャップから飛散されず、磁気ギャップにおける磁性流体の充填量が低減せず、また、磁性流体が撹拌されないため、音響変換効率の向上及び音質の向上を図ることができる。また、プレートの内周面又はセンターポール部の外周面に、センターポール部の周方向において磁気勾配を形成する磁束変化部を設けることにより、磁気ギャップにおける磁気勾配の形成が容易になる。また、磁束変化部を周方向に離隔して等間隔に複数設けることにより、磁束変化部が対称性を有する。
【００５７】
請求項２に記載した技術にあっては、前記センターポール部の軸方向において磁束密度を変化させて前記磁性流体に対する磁力を変化させる磁気勾配を形成するようにしている。
【００５８】
従って、音響変換効率の一層の向上及び音質の一層の向上を図ることができる。
【００５９】
請求項３に記載した技術にあっては、前記周方向における前記磁束密度の最低値を前記軸方向における前記磁束密度の最高値の２分の１の値より大きくしている。
【００６０】
従って、コイルボビンの変動時に飛散しようとする磁性流体が磁気ギャップに確実に保持され、磁性流体の飛散を確実に防止することができる。
【００６１】
請求項４に記載した技術にあっては、前記磁性流体は飽和磁束が３０ｍＴ〜４０ｍＴにされ粘度が３００ｃｐ以下にされている。
【００６２】
従って、磁性流体の飛散が防止されると共にコイルボビンの変動が磁性流体によって抑制され難く、スピーカー装置における良好な再生音の出力を確保することができる。
【００６７】
請求項５に記載した技術にあっては、磁束変化部として前記軸方向に延びる凹部を形成している。
【００６８】
従って、磁束変化部の形成が容易であると共にスピーカー装置の外径が大きくなることがなくスピーカー装置の小型化を図ることができる。
【００７３】
請求項７に記載した技術にあっては、前記プレートの内周面に設けた磁束変化部と前記センターポール部の外周面に設けた磁束変化部とを周方向において交互に複数位置させている。
【００７４】
従って、磁束変化部が対称性を有するため良好な磁気的バランスが確保され、コイルボビンを円滑に変動させることができる。
【００７５】
請求項８に記載した技術にあっては、前記磁束変化部として前記軸方向に延びる凹部を形成している。
【００７６】
従って、磁束変化部の形成が容易であると共にスピーカー装置の外径が大きくなることがなくスピーカー装置の小型化を図ることができる。
【００７７】
請求項９に記載した技術にあっては、前記プレート又は前記センターポール部に、前記センターポール部の軸方向において前記磁気勾配を形成する磁束変化部を設けている。
【００７８】
従って、プレート又はセンターポール部の構造が複雑にならず、構造の簡素化を確保した上で音響変換効率の向上及び音質の向上を図ることができる。
【００７９】
請求項１０に記載した技術にあっては、前記センターポール部の先端部を前記プレートから前記軸方向へ突出させて前記先端部を前記磁束変化部として設けている。
【００８０】
従って、磁束変化部を容易に設けることができる。
【００８１】
請求項１１に記載した技術にあっては、前記プレート又は前記センターポール部の表面に前記軸方向に対して傾斜する傾斜面を形成し前記傾斜面が形成された部分を前記磁束変化部として設けている。
【００８２】
従って、磁束変化部の加工が簡単であり、磁気勾配を簡単に形成することができる。
【００８３】
請求項１２に記載した技術にあっては、前記プレート又は前記センターポール部の表面に曲面を形成し前記曲面が形成された部分を前記磁束変化部として設けている。
【００８４】
従って、所望の磁気勾配を簡単に形成することができる。
【００８５】
請求項１３に記載した技術にあっては、前記プレート及び前記センターポール部に、前記センターポール部の軸方向において前記磁気勾配を形成する磁束変化部を設けている。
【００８６】
従って、磁束密度の変化に関して自由度が高くなり、設計の自由度の向上を図ることができる。
【００８７】
請求項１４に記載した技術にあっては、前記プレート及び前記センターポール部の表面にそれぞれ前記軸方向に対して傾斜する傾斜面を形成し前記傾斜面が形成された部分をそれぞれ前記磁束変化部として設けている。
【００８８】
従って、磁束変化部の加工が簡単であり、磁気勾配を簡単に形成することができる。
【００８９】
請求項１５に記載した技術にあっては、前記プレート又は前記センターポール部の表面にそれぞれ曲面を形成し前記曲面が形成された部分をそれぞれ前記磁束変化部として設けている。
【００９０】
従って、所望の磁気勾配を簡単に形成することができる。
【００９１】
請求項１６に記載した技術にあっては、前記ボイスコイルに接続される複数のリード線が設けられ、前記複数のリード線を前記コイルボビンの中心軸を基準として対称に配置している。
【００９２】
従って、コイルボビンのローリング現象の発生を抑制して出力される音声の音質の向上を図ることができる。
【００９３】
請求項１７に記載した技術にあっては、前記ボイスコイルに接続される複数のリード線と、前記コイルボビンに接続される少なくとも１本の接続線とが設けられ、複数のリード線と前記接続線を前記コイルボビンの中心軸を基準として対称に配置している。
【００９４】
従って、コイルボビンのローリング現象の発生を防止して出力される音声の音質の一層の向上を図ることができる。
【発明を実施するための最良の形態】
【００９５】
以下に、本技術スピーカー装置を実施するための最良の形態を添付図面に従って説明する。
【００９６】
以下の説明においては、スピーカー装置が向く方向を前方として上下前後左右の方向を示す。
【００９７】
尚、以下に示す上下前後左右の方向は、説明の便宜上示すものであり、本技術はこれらの方向に限定して適用されることはない。
【００９８】
［全体構成］
スピーカー装置１は、例えば、デジタルミュージックプレーヤー（ＤＭＰ）やディスクプレーヤー等の音声信号出力部５０から出力される音声をアンプ６０を介して出力する機能を有している（図１参照）。
【００９９】
音声信号出力部５０から出力される音声はアンプ６０によって増幅されてスピーカー装置１から出力される。スピーカー装置１においては電圧駆動又は電流駆動によって電圧又は電流に比例した音声の出力が行われる。
【０１００】
［スピーカー装置の具体的構成］
スピーカー装置１は筐体として機能するフレーム２を有している（図２及び図３参照）。スピーカー装置１は、例えば、低音域を出力するウーファーである。
【０１０１】
フレーム２は略円筒状に形成された筒状部３と筒状部３の前縁から外方へ張り出された取付部４と筒状部３の後縁から内方へ張り出された連結部５とを有している。
【０１０２】
筒状部３には周方向において等間隔に離隔して複数の連通孔３ａ、３ａ、・・・が形成されている。筒状部３にはターミナル６、６が周方向において１８０°反対側の位置に取り付けられている。ターミナル６、６はアンプ６０との接続が行われる接続部として設けられ、端子部６ａ、６ａを有している。
【０１０３】
フレーム２の連結部５の後面には磁性材料によって形成されたプレート７が取り付けられている。プレート７は厚みの薄い略円環状に形成されている。プレート７の内周面には、例えば、三つの凹部が周方向に等間隔に離隔して形成され、これらの凹部がそれぞれ磁束変化部７ａ、７ａ、７ａとして形成されている（図４参照）。磁束変化部７ａ、７ａ、７ａはそれぞれ前後方向に延びる状態で形成されている。磁束変化部７ａ、７ａ、７ａはそれぞれ軸方向に垂直な断面形状が、例えば、略半円形状に形成されているが、磁束変化部７ａ、７ａ、７ａは軸方向に垂直な断面形状が、例えば、三角形状（図５参照）や四角形状（図６参照）等の他の形状であってもよい。
【０１０４】
プレート７の後面には円環状に形成されたマグネット８が取り付けられている（図２及び図３参照）。
【０１０５】
マグネット８の後面にはヨーク９が取り付けられている。ヨーク９は円板状のベース面部１０とベース面部１０の中心部から前方へ突出されたセンターポール部１１とが一体に形成されて成り、センターポール部１１は、例えば、円柱状に形成されている。ヨーク９はベース面部１０の前面がマグネット８の後面に取り付けられている。
【０１０６】
プレート７とマグネット８とヨーク９は中心軸が一致された状態で結合されている。ヨーク９は、例えば、センターポール部１１の前端部がプレート７から前方へ突出された状態で配置され、プレート７とセンターポール部１１の間の空間が磁気ギャップ１３として形成されている（図３及び図４参照）。センターポール部１１の前端部は磁束変化部１２として設けられている。
【０１０７】
ヨーク９のセンターポール部１１にはコイルボビン１４が前後方向、即ち、センターポール部１１の軸方向へ変動可能（移動可能）に支持されている。コイルボビン１４は円筒状に形成され、コイルボビン１４の後端側における外周面にボイスコイル１５が巻き付けられている。ボイスコイル１５は少なくとも一部が磁気ギャップ１３に位置されている。ボイスコイル１５が磁気ギャップ１３に位置されることにより、プレート７とマグネット８とヨーク９とボイスコイル１５によって磁気回路が構成される。
【０１０８】
磁気ギャップ１３には磁性流体１６が充填されている。磁性流体１６は界面活性剤を用いて水や油に磁性体の微粒子を分散させたものであり、飽和磁束が、例えば、３０ｍＴ（ミリテスラ）〜４０ｍＴにされ、粘度が３００ｃＰ（センチポアズ）（＝３Ｐａ・ｓ（パスカル・秒））以下にされている。
【０１０９】
ボイスコイル１５の両端部とターミナル６、６の端子部６ａ、６ａとはそれぞれリード線１７、１７によって接続されている。リード線１７、１７はコイルボビン１４に対してコイルボビン１４の中心軸Ｐを基準として対称に配置された状態でコイルボビン１４に取り付けられている（図７参照）。リード線１７、１７は、例えば、直線状に配置されている。
【０１１０】
尚、リード線１７の数は複数であれば任意であり、３本以上が設けられていてもよい。
【０１１１】
フレーム２の前端側には環状の振動板１８が配置され（図２及び図３参照）、振動板１８は外周縁がフレーム２の取付部４に取り付けられ内周縁がコイルボビン１４の前端部に取り付けられている。従って、振動板１８はコイルボビン１４の軸方向における変動に伴って外周部を支点として振動される。
【０１１２】
振動板１８の内周部にはセンターキャップ１９が取り付けられ、センターキャップ１９によってコイルボビン１４が前側から閉塞されている。
【０１１３】
スピーカー装置１にあっては、上記したように、プレート７に磁束変化部７ａ、７ａ、７ａが形成されている（図４参照）。プレート７の磁束変化部７ａ、７ａ、７ａは磁気ギャップ１３の磁束密度を周方向において変化させて磁性流体１６に対する磁力を変化させる磁気勾配Ｓａ、Ｓａ、・・・を形成する機能を有している（図８参照）。従って、磁気ギャップ１３に充填された磁性流体１６は磁束密度が高い部分に保持され、磁束変化部７ａ、７ａ、７ａが形成された部分にはセンターポール部１１の外周面とプレート７の内周面との間にそれぞれ空隙１３ａ、１３ａ、１３ａが形成される（図４参照）。
【０１１４】
図８は、磁気ギャップ１３の周方向における磁束密度を示すグラフ図である。図８に示すように、プレート７の磁束変化部７ａ、７ａ、７ａが形成された部分においては、磁束変化部７ａ、７ａ、７ａによって磁気勾配（傾斜部）Ｓａ、Ｓａ、・・・が形成され、他の部分より磁力が小さくされている。磁気勾配Ｓａは磁力が存在するが磁束変化部７ａの周方向における中央に近付くに従って磁力が低下する磁束密度の変化を示すものである。
【０１１５】
また、スピーカー装置１にあっては、上記したように、ヨーク９のセンターポール部１１に磁束変化部１２が形成されている（図３参照）。センターポール部１１の磁束変化部１２は磁束密度を軸方向、即ち、コイルボビン１４の変動方向において変化させて磁性流体１６に対する磁力を変化させる磁気勾配Ｓｂを形成する機能を有している（図９参照）。
【０１１６】
図９は、軸方向における磁束密度を示すグラフ図である。図９に示すように、センターポール部１１の磁束変化部１２が形成された部分においては、磁束変化部１２によって磁気勾配（傾斜部）Ｓｂが形成され、プレート７が対向して存在する部分より磁力が小さくされている。磁気勾配Ｓｂは磁力が存在するがプレート７から遠去かるに従って磁力が低下する磁束密度の変化を示すものである。
【０１１７】
尚、スピーカー装置１においては、周方向における磁束密度の最低値Ｓａｍｉｎ（図８参照）が軸方向における磁束密度の最高値Ｓｂｍａｘ（図９参照）の２分の１の値Ｓｂｍｉｄ（図９参照）より大きくされている。
【０１１８】
［スピーカー装置の動作］
上記のように構成されたスピーカー装置１において、ボイスコイル１５に駆動電圧又は駆動電流が供給されると、磁気回路において推力が発生されコイルボビン１４が前後方向（軸方向）へ変動されコイルボビン１４の変動に伴って振動板１８が振動する。このとき電圧又は電流に比例した音声の出力、即ち、音声信号出力部５０から出力されアンプ６０によって増幅された音声の出力が行われる。
【０１１９】
音声の出力時にはコイルボビン１４の変動に伴って磁気ギャップ１３に充填された磁性流体１６に飛散される力が付与される。しかしながら、スピーカー装置１にはプレート７の磁束変化部７ａ、７ａ、７ａによって周方向において磁性流体１６に対する磁力を変化させる磁気勾配Ｓａ、Ｓａ、・・・が形成されている。また、周方向における磁束密度の最低値Ｓａｍｉｎが軸方向における磁束密度の最高値Ｓｂｍａｘの２分の１の値Ｓｂｍｉｄより大きくされている。
【０１２０】
従って、軸方向又は周方向に飛散されようとする磁性流体１６の一部１６ａ、１６ａ、・・・は、図１０に示すように、磁気勾配Ｓａ、Ｓａ、・・・が形成された磁力を有する部分である空隙１３ａ、１３ａ、１３ａから磁気ギャップ１３に引き寄せられ、飛散が抑制される。
【０１２１】
また、軸方向に飛散されようとする磁性流体１６の一部１６ｂ、１６ｂ、・・・は、図１１に示すように、磁気勾配Ｓｂが形成された磁力を有する部分から磁気ギャップ１３に引き寄せられ、飛散が抑制される。
【０１２２】
さらに、スピーカー装置１にあっては、上記したように、リード線１７、１７がコイルボビン１４の中心軸Ｐを基準として対称に配置された状態でコイルボビン１４に取り付けられている（図７参照）。従って、コイルボビン１４に対してリード線１７、１７によりそれぞれ１８０°略反対方向への張力が付与され、コイルボビン１４の変動時にコイルボビン１４に軸が倒れる方向へ傾く所謂ローリング現象が生じ難い。
【０１２３】
［スピーカー装置に関する測定データー］
以下に、スピーカー装置１に関する測定データーについて説明する（図１２乃至図１４参照）。
【０１２４】
先ず、音圧レベルの測定データーについて説明する（図１２参照）。図１２は、ダンパーを有する従来のスピーカー装置とダンパーを有さず磁性流体１６が充填されたスピーカー装置１に関し、周波数と音圧レベルの関係について測定したグラフ図である。
【０１２５】
図１２に示すように、ダンパーを有さず磁性流体１６が充填されたスピーカー装置１は音声変換効率が高くされて２．１ｄＢ程度の音圧レベルの向上が図られている。音圧レベルの向上の要因としては、ダンパーによるコイルボビン１４の変動に対する抑制作用が低減されたこと、ダンパーを有さないためスピーカー装置１の重量が低減されて音声変換効率が向上したこと及びダンパーを有さないためコイルボビン１４にダンパーを取り付ける部分が不要になりコイルボビン１４が小型化された分だけスピーカー装置１の重量が低減されて音声変換効率が向上したことが挙げられる。
【０１２６】
次に、磁束変化部の有無による異音の発生に関する測定データーについて説明する（図１３参照）。図１３における上段の図は、磁気ギャップに磁性流体が充填されているが磁束密度を周方向において変化させる磁束変化部が形成されていない従来のスピーカー装置に関して時間と周波数の関係について測定したデーターを示すグラフ図である。図１３における下段の図は、磁気ギャップに磁性流体が充填されており磁束密度を周方向において変化させる磁束変化部７ａ、７ａ、７ａが形成されたスピーカー装置１に関して時間と周波数の関係について測定したデーターを示すグラフ図である。
【０１２７】
図１３に示すように、磁束変化部が形成されていない従来のスピーカー装置においては、コイルボビンの変動時にボイスコイルによって磁性流体が撹拌され出力される音声（再生音）を歪ませる異音（上段の図の点線で囲まれた円内参照）が生じる。
【０１２８】
一方、磁束変化部７ａ、７ａ、７ａが形成されているスピーカー装置１においては、空隙１３ａ、１３ａ、１３ａ以外の部分に磁性流体１６が保持されるためコイルボビンの変動時に磁性流体１６の流動範囲が制約されており撹拌され難く、出力される音声を歪ませる異音が生じ難い（下段の図の点線で囲まれた円内参照）。従って、プレート７に磁束変化部７ａ、７ａ、７ａを形成することにより、磁性流体１６の撹拌を抑制して出力される音声の音質の向上を図ることができる。
【０１２９】
次いで、リード線の配置による異音の発生に関する測定データーについて説明する（図１４参照）。図１４における上段の図は、コイルボビンに２本のリード線を同じ方向から接続した従来のスピーカー装置に関して時間と周波数の関係について測定したデーターを示すグラフ図である。図１４におけり下段の図は、コイルボビン１４に３本のリード線１７、１７、１７を周方向において１２０°ずつ隔てた方向からコイルボビン１４の中心軸Ｐを基準として対称に配置された状態で接続したスピーカー装置１に関して時間と周波数の関係について測定したデーターを示すグラフ図である。
【０１３０】
図１４に示すように、２本のリード線を同じ方向から接続した従来のスピーカー装置においては、コイルボビンの変動時に２本のリード線によって同じ方向から張力が付与されてコイルボビンが傾斜されローリング現象が生じて出力される音声を歪ませる異音（上段の図の点線で囲まれた楕円内参照）が生じる。
【０１３１】
一方、３本のリード線１７、１７、１７を対称な状態で接続したスピーカー装置１においては、コイルボビン１４の変動時に３本のリード線１７、１７、１７によって同じ方向から同じ大きさの張力が付与されるためコイルボビン１４にローリング現象が生じず、出力される音声を歪ませる異音が生じ難い（下段の図の点線で囲まれた楕円内参照）。従って、コイルボビン１４の中心軸Ｐを基準としてリード線１７、１７、・・・を対称に配置することにより、ローリング現象の発生を抑制して出力される音声の音質の向上を図ることができる。
【０１３２】
［変形例１］
以下に、ヨークのセンターポール部の周方向において磁気勾配を形成する磁束変化部の各変形例について説明する（図１５乃至図１８参照）。
【０１３３】
尚、以下に示す変形例に係る磁束変化部はプレート又はヨークのセンターポール部に形成されており、以下には、プレート７及びセンターポール部１１に対して異なる部分のみについて説明を行い、上記したスピーカー装置１と同様のプレート又はセンターポール部についてはスピーカー装置１における同様の部分に付した符号と同じ符号を付して説明は省略する。
【０１３４】
＜第１の変形例＞
プレート７Ａの内周面には、例えば、六つの凹部が周方向に等間隔に離隔して形成され、これらの凹部がそれぞれ第１の変形例に係る磁束変化部７ａ、７ａ、・・・として形成されている（図１５参照）。磁束変化部７ａ、７ａ、・・・はそれぞれ前後方向に延びる状態で形成されている。
【０１３５】
尚、磁束変化部７ａの数は任意であり、二つ以下であってもよく、また、四つ以上であってもよい。
【０１３６】
また、磁束変化部７ａはそれぞれ軸方向に垂直な断面形状が、例えば、略半円形状に形成されているが、三角形状や四角形状等の他の形状であってもよい。
【０１３７】
＜第２の変形例＞
センターポール部１１Ａの外周面には、例えば、三つの凹部が周方向に等間隔に離隔して形成され、これらの凹部がそれぞれ第２の変形例に係る磁束変化部１１ａ、１１ａ、１１ａとして形成されている（図１６参照）。磁束変化部１１ａ、１１ａ、１１ａはそれぞれ前後方向に延びる状態で形成されている。プレート７Ｂには磁束変化部が形成されていない。
【０１３８】
磁束変化部１１ａはそれぞれ軸方向に垂直な断面形状が、例えば、略半円形状に形成されているが、三角形状や四角形状等の他の形状であってもよい。
【０１３９】
＜第３の変形例＞
センターポール部１１Ｂの外周面には、例えば、六つの凹部が周方向に等間隔に離隔して形成され、これらの凹部がそれぞれ第３の変形例に係る磁束変化部１１ａ、１１ａ、・・・として形成されている（図１７参照）。磁束変化部１１ａ、１１ａ、・・・はそれぞれ前後方向に延びる状態で形成されている。プレート７Ｂには磁束変化部が形成されていない。
【０１４０】
尚、磁束変化部１１ａの数は任意であり、二つ以下であってもよく、また、四つ以上であってもよい。
【０１４１】
また、磁束変化部１１ａはそれぞれ軸方向に垂直な断面形状が、例えば、略半円形状に形成されているが、三角形状や四角形状等の他の形状であってもよい。
【０１４２】
＜第４の変形例＞
第４の変形例はプレート７とセンターポール部１１Ａが組み合わされて構成され、周方向に等間隔に離隔して形成された磁束変化部７ａ、７ａ、７ａと周方向に等間隔に離隔して形成された磁束変化部１１ａ、１１ａ、１１ａとから成る（図１８参照）。磁束変化部７ａ、７ａ、７ａと磁束変化部１１ａ、１１ａ、１１ａは周方向において交互に位置されている。
【０１４３】
尚、磁束変化部７ａと磁束変化部１１ａの数はそれぞれ任意であり、二つ以下であってもよく、また、四つ以上であってもよい。
【０１４４】
また、磁束変化部７ａと磁束変化部１１ａはそれぞれ軸方向に垂直な断面形状が、例えば、略半円形状に形成されているが、三角形状や四角形状等の他の形状であってもよい。
【０１４５】
このようにプレート７とセンターポール部１１Ａにそれぞれ磁束変化部７ａ、７ａ、７ａと磁束変化部１１ａ、１１ａ、１１ａを形成することにより、磁束密度の変化に関して自由度が高くなり、設計の自由度の向上を図ることができる。
【０１４６】
また、プレート７の内周面に形成された磁束変化部７ａ、７ａ、７ａとセンターポール部１１Ａの外周面に形成された磁束変化部１１ａ、１１ａ、１１ａとを周方向において交互に位置させることにより、磁束変化部７ａ、７ａ、７ａと磁束変化部１１ａ、１１ａ、１１ａが対称性を有するため良好な磁気的バランスが確保され、コイルボビン１４を円滑に変動させることができる。
【０１４７】
［周方向において磁気勾配を形成する磁束変化部のまとめ］
上記したように、磁束変化部７ａ、７ａ、・・・又は磁束変化部１１ａ、１１ａ、・・・を周方向に離隔して等間隔に複数設けることにより、磁束変化部７ａ、７ａ、・・・又は磁束変化部１１ａ、１１ａ、・・・が対称性を有するため良好な磁気的バランスが確保され、コイルボビン１４を円滑に変動させることができる。
【０１４８】
また、磁束変化部７ａ、７ａ、・・・及び磁束変化部１１ａ、１１ａ、・・・として軸方向に延びる凹部が形成されているため、磁束変化部７ａ、７ａ、・・・及び磁束変化部１１ａ、１１ａ、・・・の形成が容易であると共にスピーカー装置１の外径が大きくなることがなくスピーカー装置１の小型化を図ることができる。
【０１４９】
［変形例２］
次に、ヨークのセンターポール部の軸方向において磁気勾配を形成する磁束変化部の各変形例について説明する（図１９乃至図２５参照）。
【０１５０】
尚、以下に示す変形例に係る磁束変化部はプレート又はヨークのセンターポール部に形成されており、以下には、プレート７及びセンターポール部１１に対して異なる部分のみについて説明を行い、上記したスピーカー装置１と同様のプレート又はセンターポール部等についてはスピーカー装置１における同様の部分に付した符号と同じ符号を付して説明は省略する。
【０１５１】
＜第１の変形例＞
ヨーク９Ａはセンターポール部１１Ａの前端部がプレート７から前方へ突出された状態で配置され、センターポール部１１Ａの前端部は第１の変形例に係る磁束変化部１２Ａとして設けられている（図１９参照）。磁束変化部１２Ａは前方へ行くに従って径が小さくなる形状に形成され、外周面が傾斜面１２ａとされている。
【０１５２】
＜第２の変形例＞
ヨーク９Ｂはセンターポール部１１Ｂの前端部がプレート７から前方へ突出された状態で配置され、センターポール部１１Ｂの前端部は第２の変形例に係る磁束変化部１２Ｂとして設けられている（図２０参照）。磁束変化部１２Ｂは前方へ行くに従って径が小さくなる形状に形成され、外周面が曲面１２ｂとされている。
【０１５３】
＜第３の変形例＞
ヨーク９はセンターポール部１１の前面がプレート７の前面と後面の間に位置された状態で配置されている（図２１参照）。従って、プレート７の前端側の部分がセンターポール部１１の前面より前側に位置され、プレート７の前端側の部分が第３の変形例に係る磁束変化部１２Ｃとして設けられている。
【０１５４】
＜第４の変形例＞
ヨーク９はセンターポール部１１の前端部がプレート７Ｄの前面と後面の間に位置された状態で配置されている（図２２参照）。従って、プレート７Ｄの前端側の部分がセンターポール部１１の前面より前側に位置され、プレート７Ｄの前端側の部分が第４の変形例に係る磁束変化部１２Ｄとして設けられている。磁束変化部１２Ｄは前方へ行くに従って径が小さくなる形状に形成され、内周面が傾斜面１２ｄとされている。
【０１５５】
＜第５の変形例＞
ヨーク９はセンターポール部１１の前端部がプレート７Ｅの前面と後面の間に位置された状態で配置されている（図２３参照）。従って、プレート７Ｅの前端側の部分がセンターポール部１１の前面より前側に位置され、プレート７Ｅの前端側の部分が第５の変形例に係る磁束変化部１２Ｅとして設けられている。磁束変化部１２Ｅは前方へ行くに従って径が小さくなる形状に形成され、内周面が曲面１２ｅとされている。
【０１５６】
＜第６の変形例＞
第６の変形例はヨーク９Ａとプレート７Ｄが組み合わされて構成され、センターポール部１１Ａの前面がプレート７Ｄの前面と同一平面上に位置され、磁束変化部１２Ａと磁束変化部１２Ｄから成る（図２４参照）。
【０１５７】
＜第７の変形例＞
第７の変形例はヨーク９Ｂとプレート７Ｅが組み合わされて構成され、センターポール部１１Ｂの前面がプレート７Ｅの前面と同一平面上に位置され、磁束変化部１２Ｂと磁束変化部１２Ｅから成る（図２５参照）。
【０１５８】
上記した第６の変形例及び第７の変形例のようにセンターポール部１１Ａ、１１Ｂとプレート７Ｄ、７Ｅにそれぞれ磁束変化部１２Ａ、１２Ｂと磁束変化部１２Ｄ、１２Ｅを設けることにより、磁束密度の変化に関して自由度が高くなり、設計の自由度の向上を図ることができる。
【０１５９】
［軸方向において磁気勾配を形成する磁束変化部のまとめ］
上記した第１の変形例、第４の変形例及び第６の変形例のように、傾斜面１２ａ、１２ｄ、１２ｄを形成し傾斜面１２ａ、１２ｄ、１２ｄが形成された部分を磁束変化部１２Ａ、１２Ｄ、１２Ｄとして設けることにより、磁束変化部１２Ａ、１２Ｄ、１２Ｄの加工が簡単であり、磁気勾配を簡単に形成することができる。
【０１６０】
また、上記した第２の変形例、第５の変形例及び第７の変形例のように、曲面１２ｂ、１２ｅ、１２ｅを形成し曲面１２ｂ、１２ｅ、１２ｅが形成された部分を磁束変化部１２Ｂ、１２Ｅ、１２Ｅとして設けることにより、所望の磁気勾配を簡単に形成することができる。
【０１６１】
［変形例３］
次に、リード線等のコイルボビンに対する配置状態に関する各変形例について説明する（図２６乃至図３０参照）。
【０１６２】
尚、以下に示す変形例については、リード線等のみについて説明を行い、リード線等が接続されるボイスコイルが巻き付けられるコイルボビンについてはスピーカー装置１における同様の符号を付して説明は省略する。
【０１６３】
＜第１の変形例＞
第１の変形例は、２本のリード線１７、１７がコイルボビン１４に対してコイルボビン１４の中心軸Ｐを基準として対称に配置された状態でコイルボビン１４に取り付けられ、リード線１７、１７が曲線状に配置されている（図２６参照）。尚、リード線１７はコイルボビン１４の中心軸Ｐを基準として対称に配置されていれば３本以上配置されていてもよい。
【０１６４】
＜第２の変形例＞
第２の変形例は、２本のリード線１７、１７と１本の接続線２０とがコイルボビン１４に対してコイルボビン１４の中心軸Ｐを基準として対称に配置された状態でコイルボビン１４に取り付けられ、リード線１７、１７と接続線２０が直線状に配置されている（図２７参照）。
【０１６５】
接続線２０は、例えば、リード線１７と同じ材料によって形成され、両端がそれぞれフレーム２とコイルボビン１４に取り付けられている。尚、接続線２０はリード線１７と同様に、ボイスコイル１５に電流を供給する機能を有していてもよい。
【０１６６】
＜第３の変形例＞
第３の変形例は、２本のリード線１７、１７と１本の接続線２０とがコイルボビン１４に対してコイルボビン１４の中心軸Ｐを基準として対称に配置された状態でコイルボビン１４に取り付けられ、リード線１７、１７と接続線２０が曲線状に配置されている（図２８参照）。
【０１６７】
接続線２０は、例えば、リード線１７と同じ材料によって形成され、両端がそれぞれフレーム２とコイルボビン１４に取り付けられている。尚、接続線２０はリード線１７と同様に、ボイスコイル１５に電流を供給する機能を有していてもよい。
【０１６８】
＜第４の変形例＞
第４の変形例は、２本のリード線１７、１７と２本の接続線２０、２０とがコイルボビン１４に対してコイルボビン１４の中心軸Ｐを基準として対称に配置された状態でコイルボビン１４に取り付けられ、リード線１７、１７と接続線２０、２０が直線状に配置されている（図２９参照）。
【０１６９】
接続線２０は、例えば、リード線１７と同じ材料によって形成され、両端がそれぞれフレーム２とコイルボビン１４に取り付けられている。尚、接続線２０はリード線１７と同様に、ボイスコイル１５に電流を供給する機能を有していてもよい。また、接続線２０は、リード線１７、１７とともにコイルボビン１４に対してコイルボビン１４の中心軸Ｐを基準として対称に配置されていれば３本以上配置されていてもよい。
【０１７０】
＜第５の変形例＞
第５の変形例は、２本のリード線１７、１７と２本の接続線２０、２０とがコイルボビン１４に対してコイルボビン１４の中心軸Ｐを基準として対称に配置された状態でコイルボビン１４に取り付けられ、リード線１７、１７と接続線２０、２０が曲線状に配置されている（図３０参照）。
【０１７１】
接続線２０は、例えば、リード線１７と同じ材料によって形成され、両端がそれぞれフレーム２とコイルボビン１４に取り付けられている。尚、接続線２０はリード線１７と同様に、ボイスコイル１５に電流を供給する機能を有していてもよい。また、接続線２０は、リード線１７、１７とともにコイルボビン１４に対してコイルボビン１４の中心軸Ｐを基準として対称に配置されていれば３本以上配置されていてもよい。
【０１７２】
上記した第２の変形例乃至第５の変形例のように、リード線１７、１７と少なくとも１本の接続線２０とをコイルボビン１４の中心軸Ｐを基準として対称に配置することにより、コイルボビン１４のローリング現象の発生を防止して出力される音声の音質の一層の向上を図ることができる。
【０１７３】
［まとめ］
以上に記載した通り、スピーカー装置１においては、磁気ギャップ１３に磁性流体１６を充填すると共にセンターポール部１１の周方向において磁束密度を変化させて磁性流体１６に対する磁力を変化させる磁気勾配を形成している。
【０１７４】
従って、コイルボビン１４の変動時に磁性流体１６が磁気ギャップ１３から飛散されず、磁気ギャップ１３における磁性流体１６の充填量が低減せず、また、磁性流体１６が撹拌されないため、音響変換効率の向上及び音質の向上を図ることができる。
【０１７５】
また、センターポール部１１の軸方向においても磁束密度を変化させて磁性流体１６に対する磁力を変化させる磁気勾配を形成しているため、音響変換効率の一層の向上及び音質の一層の向上を図ることができる。
【０１７６】
さらに、周方向における磁束密度の最低値Ｓａｍｉｎが軸方向における磁束密度の最高値Ｓｂｍａｘの２分の１の値より大きくされているため、コイルボビン１４の変動時に飛散しようとする磁性流体１６が空隙１３ａ、１３ａ、・・・から磁気ギャップ１３に確実に保持され、磁性流体１６の飛散を確実に防止することができる。
【０１７７】
さらにまた、磁性流体１６は飽和磁束が３０ｍＴ〜４０ｍＴにされ粘度が３００ｃｐ以下にされているため、飛散が防止されると共にコイルボビン１４の変動が磁性流体１６によって抑制されることがなく、スピーカー装置１における良好な再生音の出力を確保することができる。
【０１７８】
尚、プレート７、７Ａの内周面又はセンターポール部１１Ａ、１１Ｂの外周面にセンターポール部１１の周方向において磁気勾配を形成する磁束変化部７ａ、７ａ、・・・又は磁束変化部１１ａ、１１ａ、・・・を形成することにより、プレート７、７Ａ及びセンターポール部１１Ａ、１１Ｂの構造が複雑にならず、構造の簡素化を確保した上で音響変換効率の向上及び音質の向上を図ることができる。
【０１７９】
また、プレート７、７Ｄ、７Ｅ又はセンターポール部１１、１１Ａ、１１Ｂにセンターポール部１１、１１Ａ、１１Ｂの軸方向において磁気勾配を形成する磁束変化部１２、１２Ａ、１２Ｂ又は磁束変化部１２Ｃ、１２Ｄ、１２Ｅを形成することにより、プレート７、７Ｄ、７Ｅ又はセンターポール部１１、１１Ａ、１１Ｂの構造が複雑にならず、構造の簡素化を確保した上で音響変換効率の向上及び音質の向上を図ることができる。
【０１８０】
さらに、センターポール部１１、１１Ａ、１１Ｂの先端部をプレート７から軸方向へ突出させ又はセンターポール部１１の前面をプレート７、７Ｄ、７Ｅの前面より後方に位置させて磁束変化部１２、１２Ａ、１２Ｂ、１２Ｃ、１２Ｄ、１２Ｅを設けることにより、磁束変化部１２、１２Ａ、１２Ｂ、１２Ｃ、１２Ｄ、１２Ｅを容易に設けることができる。
【０１８１】
［本技術］
本技術は、以下のような構成にすることができる。
【０１８２】
（１）環状に形成されたマグネットと、センターポール部を有し前記センターポール部が前記マグネットの中心部に挿入されて配置されたヨークと、環状に形成され前記マグネットに取り付けられた状態で前記ヨークのセンターポール部の外周側に配置されたプレートと、筒状に形成され一部が前記ヨークのセンターポール部に外嵌された状態で前記センターポール部の軸方向へ変動可能にされたコイルボビンと、前記コイルボビンの外周面に巻き付けられ少なくとも一部が前記プレートと前記ヨークのセンターポール部との間に形成された磁気ギャップに配置されたボイスコイルと、内周部が前記コイルボビンに連結され前記コイルボビンの変動に伴って振動される振動板と、前記磁気ギャップに充填された磁性流体とを備え、前記センターポール部の周方向において磁束密度を変化させて前記磁性流体に対する磁力を変化させる磁気勾配を形成するようにし、前記プレートの内周面又は前記センターポール部の外周面に、前記センターポール部の周方向において前記磁気勾配を形成する磁束変化部を設け、前記磁束変化部を周方向に離隔して等間隔に複数設けたスピーカー装置。あるいは、環状に形成されたマグネットと、センターポール部を有し前記センターポール部が前記マグネットの中心部に挿入されて配置されたヨークと、環状に形成され前記マグネットに取り付けられた状態で前記ヨークのセンターポール部の外周側に配置されたプレートと、筒状に形成され一部が前記ヨークのセンターポール部に外嵌された状態で前記センターポール部の軸方向へ変動可能にされたコイルボビンと、前記コイルボビンの外周面に巻き付けられ少なくとも一部が前記プレートと前記ヨークのセンターポール部との間に形成された磁気ギャップに配置されたボイスコイルと、内周部が前記コイルボビンに連結され前記コイルボビンの変動に伴って振動される振動板と、前記磁気ギャップに充填された磁性流体とを備え、前記センターポール部の周方向において磁束密度を変化させて前記磁性流体に対する磁力を変化させる磁気勾配を形成するようにし、前記プレートの内周面及び前記センターポール部の外周面に、前記センターポール部の周方向において前記磁気勾配を形成する磁束変化部を設け、前記磁束変化部を周方向に離隔して等間隔に複数設け前記プレートの内周面及び前記センターポール部の外周面に、前記センターポール部の周方向において前記磁気勾配を形成する磁束変化部を設けたスピーカー装置。
【０１８３】
（２）前記センターポール部の軸方向において磁束密度を変化させて前記磁性流体に対する磁力を変化させる磁気勾配を形成するようにした前記（１）に記載のスピーカー装置。
【０１８４】
（３）前記周方向における前記磁束密度の最低値を前記軸方向における前記磁束密度の最高値の２分の１の値より大きくした前記（１）又は前記（２）に記載のスピーカー装置。
【０１８５】
（４）前記磁性流体は飽和磁束が３０ｍＴ〜４０ｍＴにされ粘度が３００ｃｐ以下にされた前記（１）から前記（３）の何れかに記載のスピーカー装置。
【０１８８】
（７）前記磁束変化部として前記軸方向に延びる凹部を形成した前記（１）から前記（４）の何れかに記載のスピーカー装置。
【０１９１】
（１０）前記プレートの内周面に設けた磁束変化部と前記センターポール部の外周面に設けた磁束変化部とを周方向において交互に複数位置させた前記（１）に記載のスピーカー装置。
【０１９２】
（１１）前記磁束変化部として前記軸方向に延びる凹部を形成した前記（８）又は前記（９）に記載のスピーカー装置。
【０１９３】
（１２）前記プレート又は前記センターポール部に、前記センターポール部の軸方向において前記磁気勾配を形成する磁束変化部を設けた前記（２）の何れかに記載のスピーカー装置。
【０１９４】
（１３）前記センターポール部の先端部を前記プレートから前記軸方向へ突出させて前記先端部を前記磁束変化部として設けた前記（１２）に記載のスピーカー装置。
【０１９５】
（１４）前記プレート又は前記センターポール部の表面に前記軸方向に対して傾斜する傾斜面を形成し前記傾斜面が形成された部分を前記磁束変化部として設けた前記（１２）又は前記（１３）に記載のスピーカー装置。
【０１９６】
（１５）前記プレート又は前記センターポール部の表面に曲面を形成し前記曲面が形成された部分を前記磁束変化部として設けた前記（１２）から前記（１４）の何れかに記載のスピーカー装置。
【０１９７】
（１６）前記プレート及び前記センターポール部に、前記センターポール部の軸方向において前記磁気勾配を形成する磁束変化部を設けた前記（２）に記載のスピーカー装置。
【０１９８】
（１７）前記プレート及び前記センターポール部の表面にそれぞれ前記軸方向に対して傾斜する傾斜面を形成し前記傾斜面が形成された部分をそれぞれ前記磁束変化部として設けた前記（１６）に記載のスピーカー装置。
【０１９９】
（１８）前記プレート及び前記センターポール部の表面にそれぞれ曲面を形成し前記曲面が形成された部分をそれぞれ前記磁束変化部として設けた前記（１６）又は前記（１７）に記載のスピーカー装置。
【０２００】
（１９）前記ボイスコイルに接続される複数のリード線が設けられ、前記複数のリード線を前記コイルボビンの中心軸を基準として対称に配置した前記（１）に記載のスピーカー装置。
【０２０１】
（２０）前記ボイスコイルに接続される複数のリード線と、前記コイルボビンに接続される少なくとも１本の接続線とが設けられ、複数のリード線と前記接続線を前記コイルボビンの中心軸を基準として対称に配置した前記（１）に記載のスピーカー装置。
【０２０２】
上記した最良の形態において示した各部の具体的な形状及び構造は、何れも本技術を実施する際の具体化のほんの一例を示したものにすぎず、これらによって本技術の技術的範囲が限定的に解釈されることがあってはならないものである。
【図面の簡単な説明】
【０２０３】
【図１】図２乃至図３０と共に本技術スピーカー装置の実施の形態を示すものであり、本図は、スピーカー装置の接続状態を示すブロック図である。
【図２】スピーカー装置の拡大斜視図である。
【図３】スピーカー装置の拡大断面図である。
【図４】磁気ギャップに磁性流体が充填された状態を示す拡大正面図である。
【図５】三角形状の磁束変化部が形成されたプレートとセンターポール部を磁気ギャップに磁性流体が充填された状態で示す拡大正面図である。
【図６】四角形状の磁束変化部が形成されたプレートとセンターポール部を磁気ギャップに磁性流体が充填された状態で示す拡大正面図である。
【図７】コイルボビンとリード線を示す概略拡大正面図である。
【図８】磁気ギャップの周方向における磁束密度を示すグラフ図である。
【図９】磁気ギャップの軸方向における磁束密度を示すグラフ図である。
【図１０】コイルボビンの変動時に磁性流体の一部が周方向において磁束密度を変化させて磁気勾配を形成する磁束変化部側に引き寄せられている状態を示す概略拡大斜視図である。
【図１１】コイルボビンの変動時に磁性流体の一部が軸方向において磁束密度を変化させて磁気勾配を形成する磁束変化部側に引き寄せられている状態を示す概略拡大断面図である。
【図１２】ダンパーを有する従来のスピーカー装置とダンパーを有さず磁性流体が充填されたスピーカー装置に関し、周波数と音圧レベルの関係について測定したグラフ図である。
【図１３】磁束密度を周方向において変化させる磁束変化部の作用を説明するために時間と周波数の関係について測定したデーターを示すグラフ図である。
【図１４】リード線の配置状態による作用を説明するために時間と周波数の関係について測定したデーターを示すグラフ図である。
【図１５】図１６乃至図１８と共に周方向において磁気勾配を形成する磁束変化部の各変形例を示すものであり、本図は、第１の変形例を示す拡大正面図である。
【図１６】第２の変形例を示す拡大正面図である。
【図１７】第３の変形例を示す拡大正面図である。
【図１８】第４の変形例を示す拡大正面図である。
【図１９】図２０乃至図２５と共に軸方向において磁気勾配を形成する磁束変化部の各変形例を示すものであり、本図は、第１の変形例を示す拡大断面図である。
【図２０】第２の変形例を示す拡大断面図である。
【図２１】第３の変形例を示す拡大断面図である。
【図２２】第４の変形例を示す拡大断面図である。
【図２３】第５の変形例を示す拡大断面図である。
【図２４】第６の変形例を示す拡大断面図である。
【図２５】第７の変形例を示す拡大断面図である。
【図２６】図２７乃至図３０と共にリード線等のコイルボビンに対する配置状態の各変形例を示すものであり、本図は、第１の変形例を示す拡大正面図である。
【図２７】第２の変形例を示す拡大正面図である。
【図２８】第３の変形例を示す拡大正面図である。
【図２９】第４の変形例を示す拡大正面図である。
【図３０】第５の変形例を示す拡大正面図である。
【符号の説明】
【０２０４】
１…スピーカー装置、７…プレート、７ａ…磁束変化部、８…マグネット、９…ヨーク、１１…センターポール部、１１ａ…磁束変化部、１２…磁束変化部、１３…磁気ギャップ、１４…コイルボビン、１５…ボイスコイル、１６…磁性流体、１７…リード線、７Ａ…プレート、７ａ…磁束変化部、１１Ａ…センターポール部、７Ｂ…プレート、１１Ｂ…センターポール部、９Ａ…ヨーク、１２Ａ…磁束変化部、１２ａ…傾斜面、９Ｂ…ヨーク、１２Ｂ…磁束変化部、１２ｂ…曲面、１２Ｃ…磁束変化部、７Ｄ…プレート、１２Ｄ…磁束変化部、１２ｄ…傾斜面、７Ｅ…プレート、１２Ｅ…磁束変化部、１２ｅ…曲面、２０…接続線
【図１】
0005751090.tif 000002
【図２】
0005751090.tif 000003
【図３】
0005751090.tif 000004
【図４】
0005751090.tif 000005
【図５】
0005751090.tif 000006
【図６】
0005751090.tif 000007
【図７】
0005751090.tif 000008
【図８】
0005751090.tif 000009
【図９】
0005751090.tif 000010
【図１０】
0005751090.tif 000011
【図１１】
0005751090.tif 000012
【図１２】
0005751090.tif 000013
【図１３】
0005751090.tif 000014
【図１４】
0005751090.tif 000015
【図１５】
0005751090.tif 000016
【図１６】
0005751090.tif 000017
【図１７】
0005751090.tif 000018
【図１８】
0005751090.tif 000019
【図１９】
0005751090.tif 000020
【図２０】
0005751090.tif 000021
【図２１】
0005751090.tif 000022
【図２２】
0005751090.tif 000023
【図２３】
0005751090.tif 000024
【図２４】
0005751090.tif 000025
【図２５】
0005751090.tif 000026
【図２６】
0005751090.tif 000027
【図２７】
0005751090.tif 000028
【図２８】
0005751090.tif 000029
【図２９】
0005751090.tif 000030
【図３０】
0005751090.tif 000031